(57)【特許請求の範囲】
【請求項１】
鋼板から折り曲げられて平面視で長方形状に成形されたコンクリートスラブ用のデッキプレートであって、
コンクリートスラブの下面を支持する長方形平板状のスラブ支持部と、このスラブ支持部の片面から面外方向に向け長手方向に沿って突設された補強リブと、前記スラブ支持部の長手両側の縁に沿って形成された左右一対の係合リブと、が備えられ、
前記補強リブと前記左右一対の係合リブは、エンドクローズ加工により長手方向の両端部が上下方向に潰されて閉塞されたエンドクローズ部を有しているとともに、
一方の第１係合リブのエンドクローズ部は、スラブ支持部の縁より外側へはみ出ておらず、且つ、他方の第２係合リブのエンドクローズ部は、長手方向の端部においてスラブ支持部の縁より外側へはみ出しており、
前記第１係合リブのエンドクローズ部と隣接するデッキプレートの前記第２係合リブのエンドクローズ部は、長手方向の端部において上下に重なりあっており、
前記各エンドクローズ部は、エンドエンドクローズ加工が施されていない無加工部から長手方向の端部へ向け徐々に上下方向に潰れていく形状移行部と、この形状移行部と連続して上下方向に完全に潰れた閉塞部と、を有し、
前記第１係合リブのエンドクローズ部と隣接するデッキプレートの前記第２係合リブのエンドクローズ部は、前記形状移行部においても係合していること
を特徴とするデッキプレート。
【請求項２】
左右一対の係合リブは、前記スラブ支持部の面外方向に立ち上がる平板状のウェブ部と、このウェブ部の先端から面外の一方向に張り出すフランジ部と、が備えられ、
前記第１係合リブの前記フランジ部は、内側へ張り出しているとともに、
前記第２係合リブの前記フランジ部は、外側へ張り出しており、
前記各フランジ部には、フランジ部の面外方向に傾斜して短手方向にずれること防止する折り返し部が形成されていること
を特徴とする請求項１に記載のデッキプレート。
【請求項３】
前記第２係合リブには、前記スラブ支持部の面外方向に立ち上がる平板状の第２ウェブ部と、この第２ウェブ部の先端から外側に一定間隔離間して傾斜する係合傾斜部と、が設けられ、
前記第１係合リブには、前記スラブ支持部の面外方向に立ち上がる平板状の第１ウェブ部と、この第１ウェブ部の先端から前記係合傾斜部と逆方向に傾斜して前記一定間隔内に収まる幅を有する乗り越え傾斜部と、が設けられていること
を特徴とする請求項２に記載のデッキプレート。
【請求項４】
前記スラブ支持部には、曲げ剛性を高めるため長手方向に沿って折り曲げられて凹凸が形成されていること
を特徴とする請求項１ないし３のいずれかに記載のデッキプレート。
【請求項５】
コンクリートスラブの下面を支持する長方形平板状のスラブ支持部と、このスラブ支持部の片面から面外方向に向け長手方向に沿って突設された補強リブと、前記スラブ支持部の長手両側の縁に沿って形成された左右一対の係合リブと、を備え、鋼板から折り曲げられて平面視で長方形状に成形されたコンクリートスラブ用のデッキプレートの前記各リブの長手方向の両端部を上下方向に潰して閉塞するデッキプレートのエンドクローズ加工方法であって、
前記左右一対の係合リブのうち一方の第１係合リブの外側に変形を抑えるブロック状の治具を設置したうえ、前記第１係合リブを上下に押し潰してエンドクローズ部を形成すること
を特徴とするデッキプレートのエンドクローズ加工方法。
【請求項６】
前記左右一対の係合リブのいずれも両側にも変形を抑えるブロック状の治具を設置したうえ、前記係合リブをそれぞれ上下に押し潰してエンドクローズ部を形成すること
を特徴とする請求項５に記載のデッキプレートのエンドクローズ加工方法。
【発明の詳細な説明】
【技術分野】
【０００１】
本発明は、解体を要さない打込み型枠として使用されるコンクリートスラブ用のデッキプレート関し、詳しくは、デッキプレートのエンドクローズ形状及びそのエンドクローズの加工方法に関するものである。
【背景技術】
【０００２】
従来、建築物の床スラブや屋根スラブなどの構造物のコンクリートスラブを構築するため、解体を要しない打込み型枠として形鋼や型枠間に架け渡され、その中にコンクリートが打設されて使用されるコンクリートスラブ用デッキプレートが種々提案されている。このコンクリートスラブ用デッキプレートは、コンクリート打設時には型枠として機能し、コンクリート硬化後はコンクリートと一体になって引張応力を負担する構造部材としての合成スラブ用デッキプレートと、上面が概ね平ら（フラット）で解体を要さない打込み型枠として使用されるが、構造部材として引張り応力を負担するものとは算定されないフラットデッキ用デッキプレートとの、２種類のデッキプレートに大別される。
【０００３】
例えば、特許文献１には、水平なプレート１の下面に断面三角形状の複数条の補強リブ２が形成されたフラットデッキプレート５において、長手方向に沿って一側端に形成された鉤爪状の接続片３を設け、この接続片３を隣接する他のフラットデッキプレートの補強リブ２内に圧入して複数のフラットデッキプレート５同士を横方向（水平方向）にずれないように係合して連結させて使用するフラットデッキプレート５が開示されている（特許文献１の図面の第１図、第３図等参照）。
【０００４】
また、特許文献１には、端部の閉塞部材等を取り付けなくても打設時にフレッシュコンクリートが端部から漏れないように、エンドクローズ加工を施してフラットデッキプレート５の補強リブ２の長手方向の端部を閉塞して載架片４としたフラットデッキプレート５も記載されている（特許文献１の図面の第１図、第６図等参照）。
【０００５】
しかし、特許文献１に記載のフラットデッキプレート５では、エンドクローズ加工を施した補強リブ２の溝内に、接続片３を嵌め込むことができないため、エンドクローズ加工を施して徐々にリブを押し潰していく形状移行部の途中から接続片３を切り欠く必要があった（特許文献１の第１図、第６図参照）。
【０００６】
このため、エンドクローズ加工を施す前に接続片３を切り欠く工程が必要であり、重い切断機をラインの移動に合わせて移動させながら切り欠くため、製造ラインの流れを遅くする工程上のクリティカルポイントとなっており、デッキプレートの製造効率を低下させる要因となっているという問題があった。
【０００７】
また、接続片３の切り欠きにより、荷重の掛かる載架片４（閉塞部に相当）の近傍に断面欠損が生じることとなり、断面性能が低下して型枠としてのデッキプレートの強度を低下する要因となっていたという問題もある。
【０００８】
さらに、デッキプレート同士の係合部分の接続片３を切り欠くことにより、コンクリート打設時のノロ漏れによりセメント成分が硬化してデッキプレートの下面に剥離困難な汚れが付着してしまうという問題もあった。
【０００９】
また、特許文献２には、合成スラブ用デッキプレートの山部である突出部３０の長手方向端部をエンドクローズ加工して閉塞した合成床版用の端部閉塞デッキプレート２１が開示されている（特許文献２の図面の図３、図４等参照）。
【００１０】
しかし、特許文献２に記載の端部閉塞デッキプレート２１は、合成スラブ（合成床版）用のものであり、係合リブである係合部２８，２９は、閉塞せずに長手方向端部でも潰されておらず、そのままフラットデッキ用のデッキプレートとしは使用できないという問題があった。
【先行技術文献】
【特許文献】
【００１１】
【特許文献１】実公昭６３−１００２２号公報
【特許文献２】特開平６−３１３３４１号公報
【発明の概要】
【発明が解決しようとする課題】
【００１２】
そこで、本発明は、前述した問題に鑑みて案出されたものであり、その目的とするところは、係合リブに切り欠き不要のエンドクローズ部を備えたデッキプレート、及びそのデッキプレートのエンドクローズ加工方法を提供することにある。
【課題を解決するための手段】
【００１３】
第１発明に係るデッキプレートは、鋼板から折り曲げられて平面視で長方形状に成形されたコンクリートスラブ用のデッキプレートであって、コンクリートスラブの下面を支持する長方形平板状のスラブ支持部と、このスラブ支持部の片面から面外方向に向け長手方向に沿って突設された補強リブと、前記スラブ支持部の長手両側の縁に沿って形成された左右一対の係合リブと、が備えられ、前記補強リブと前記左右一対の係合リブは、エンドクローズ加工により長手方向の両端部が上下方向に潰されて閉塞されたエンドクローズ部を有しているとともに、一方の第１係合リブのエンドクローズ部は、スラブ支持部の縁より外側へはみ出ておらず、且つ、他方の第２係合リブのエンドクローズ部は、長手方向の端部においてスラブ支持部の縁より外側へはみ出しており、前記第１係合リブのエンドクローズ部と隣接するデッキプレートの前記第２係合リブのエンドクローズ部は、長手方向の端部において上下に重なりあっており、前記各エンドクローズ部は、エンドエンドクローズ加工が施されていない無加工部から長手方向の端部へ向け徐々に上下方向に潰れていく形状移行部と、この形状移行部と連続して上下方向に完全に潰れた閉塞部と、を有し、前記第１係合リブのエンドクローズ部と隣接するデッキプレートの前記第２係合リブのエンドクローズ部は、前記形状移行部においても係合していることを特徴とする。
【００１４】
第２発明に係るデッキプレートは、第１発明において、左右一対の係合リブは、前記スラブ支持部の面外方向に立ち上がる平板状のウェブ部と、このウェブ部の先端から面外の一方向に張り出すフランジ部と、が備えられ、前記第１係合リブの前記フランジ部は、内側へ張り出しているとともに、前記第２係合リブの前記フランジ部は、外側へ張り出しており、前記各フランジ部には、フランジ部の面外方向に傾斜して短手方向にずれること防止する折り返し部が形成されていることを特徴とする。
【００１５】
第３発明に係るデッキプレートは、第２発明において、前記第２係合リブには、前記スラブ支持部の面外方向に立ち上がる平板状の第２ウェブ部と、この第２ウェブ部の先端から外側に一定間隔離間して傾斜する係合傾斜部と、が設けられ、前記第１係合リブには、前記スラブ支持部の面外方向に立ち上がる平板状の第１ウェブ部と、この第１ウェブ部の先端から前記係合傾斜部と逆方向に傾斜して前記一定間隔内に収まる幅を有する乗り越え傾斜部と、が設けられていることを特徴とする。
【００１７】
第４発明に係るデッキプレートは、第１発明ないし第３発明のいずれかの発明において、前記スラブ支持部には、曲げ剛性を高めるため長手方向に沿って折り曲げられて凹凸が形成されていることを特徴とする。
【００１８】
第５発明に係るデッキプレートのエンドクローズ加工方法は、コンクリートスラブの下面を支持する長方形平板状のスラブ支持部と、このスラブ支持部の片面から面外方向に向け長手方向に沿って突設された補強リブと、前記スラブ支持部の長手両側の縁に沿って形成された左右一対の係合リブと、を備え、鋼板から折り曲げられて平面視で長方形状に成形されたコンクリートスラブ用のデッキプレートの前記各リブの長手方向の両端部を上下方向に潰して閉塞するデッキプレートのエンドクローズ加工方法であって、前記左右一対の係合リブのうち一方の第１係合リブの外側に変形を抑えるブロック状の治具を設置したうえ、前記第１係合リブを上下に押し潰してエンドクローズ部を形成することを特徴とする。
【００１９】
第６発明に係るデッキプレートは、第５発明において、前記左右一対の係合リブのいずれも両側にも変形を抑えるブロック状の治具を設置したうえ、前記係合リブをそれぞれ上下に押し潰してエンドクローズ部を形成することを特徴とする。
【発明の効果】
【００２０】
第１発明〜第６発明によれば、係合リブのエンドクローズ部を切り欠かなくてもデッキプレート同士の係合が可能となり、エンドクローズ部の事前の切り欠きが不要となる。このため、製造ラインの流れを遅くする工程上のクリティカルポイントであったプレノッチ加工が無くなり、デッキプレートの製造効率が向上する。よって、デッキプレートの製造コストを低減することができる。
【００２１】
また、第１発明〜第６発明によれば、係合リブのエンドクローズ部の断面欠損が無くなるため、荷重が直接作用するエンドクローズ部の断面性能が向上し、曲げ強度が上がって安全性が増す。このため、デッキプレートの強度を保持したまま薄くすることができ、さらにデッキプレートの製造コストを低減することができる。
【００２２】
さらに、第１発明〜第６発明によれば、係合リブのエンドクローズ部の事前の切り欠きが不要となるため、コンクリート打設時のノロ漏れを確実に防止することができる。このため、ノロ漏れによりセメント成分が硬化してデッキプレートの下面に剥離困難な汚れが付着してしまうおそれもない。また、第１発明〜第６発明によれば、係合する係合リブ同士が形状移行部においても係合しているので、ノロ漏れ防止効果が高いだけでなく、デッキプレート全体としての強度が向上し、デッキプレートの強度を保持したまま薄くすることができる。このため、さらにデッキプレートの製造コストを低減することができる。
【００２３】
特に、第２発明及び第３発明によれば、合成スラブ用デッキプレートとしてもフラットデッキ用デッキプレートとしても使用することができるとともに、いずれのデッキプレートとして使用しても溶接やカシメなどの固定作業を行わずにデッキプレート同士の連結が容易且つ確実に行うことができる。短手方向の端部の断面性能（曲げ剛性）が向上し、デッキプレートの幅の倍数と構築するコンクリートスラブの幅との関係に端数が生じて幅調整が必要な場合でも、平板状の調整板だけで対応することができ、従来必要であった複数種類の役物が不要となる。このため、デッキプレート及びそれを用いたコンクリートスラブの材料コストを低減及び施工の単純化をすることができる。
【００２４】
また、第２発明及び第３発明によれば、デッキプレートの短手方向の端部の係合リブにフランジ部が形成されていて曲げ剛性が高いうえ、フランジ部の向く方向が同一であるため、互いに逆方向に上下に重ねた際にフランジ部が外側へ突出することがない。このため、前述のように半端な役物が不要となるうえ、さらに荷姿が改善され、運搬効率が向上するとともに、デッキプレート揚重の際に、デッキプレートの束に掛けられる玉掛ワイヤーやスリングなどで絞られて係合リブが変形するおそれが少ない。
【００２５】
特に、第３発明によれば、デッキプレートを水平方向にスライドさせるだけでデッキプレート同士を簡単に係合させることができる。
【００２７】
特に、第４発明によれば、スラブ支持部の平板面に、長手方向に沿って折り曲げられて凹凸が形成されているので、スラブ支持部の曲げ剛性が向上する。つまり、デッキプレート上に打設されたコンクリートの強度が発現するまでの施工時の型枠としてのデッキプレートの強度計算において、デッキプレートの長手方向に直交する鉛直断面の全断面積が有効として算定することができる。結果的に、必要強度に比してデッキプレートの厚さを薄くすることができ、輸送費を含めデッキプレートの設置費用を低減することができる。
【００２８】
特に、第６発明によれば、係合リブのエンドクローズ部のエンドクローズ加工が精度よくでき、係合力を高めてデッキプレート全体としての強度をさらに向上させることができる。
【図面の簡単な説明】
【００２９】
【図１】本発明の実施形態に係るデッキプレートを示す斜視図である。
【図２】同上のデッキプレートの無加工部を長手方向中央付近の鉛直面で切断した状態を示す端面図である。
【図３】同上のデッキプレートの長手方向の一端部付近を示す部分拡大斜視図である。
【図４】同上の一端部付近を示す部分拡大右側面図である。
【図５】同上の一端部付近を長手方向に沿って水平に見た正面図である。
【図６】図３、図４のＢ−Ｂ線切断端面図である。
【図７】図３、図４のＣ−Ｃ線切断端面図である。
【図８】図３、図４のＤ−Ｄ線切断端面図である。
【図９】同上のデッキプレート同士を係合する前の状態を示す斜視図である。
【図１０】同上のデッキプレート同士を係合させて敷き並べた状態を示す斜視図である。
【図１１】同上のデッキプレートのコンクリート打設後の状態をデッキプレートの長手方向と直交する鉛直断面で示す鉛直断面図である。
【図１２】同上のデッキプレート同士の係合前の状態を長手方向と直交する鉛直断面で示す係合状態説明図である。
【図１３】図１２後のデッキプレート同士の係合開始直前の当接状態を示す係合状態説明図である。
【図１４】図１３後のデッキプレート同士の係合開始直後の一方の係合リブの斜面に他方の係合リブが乗り上げた状態を長手方向と直交する鉛直断面で示す係合状態説明図である。
【図１５】図１４後のデッキプレート同士の係合終了前の一方の係合リブの斜面を他方の係合リブが乗り越えた直後の状態を長手方向と直交する鉛直断面で示す係合状態説明図である。
【図１６】図１５後のデッキプレート同士の係合終了後の状態を長手方向と直交する鉛直断面で示す係合状態説明図である。
【図１７】同上のデッキプレートを短手方向に沿って見た側面図でエンドクローズ加工方法を説明する説明図である。
【図１８】同上のデッキプレートを長手方向に沿って見た正面図でエンドクローズ加工方法を説明する説明図である。
【発明を実施するための形態】
【００３０】
以下、本発明の実施形態に係るデッキプレート及びデッキプレートのエンドクローズ加工方法について、図面を参照しながら詳細に説明する。
【００３１】
本発明の実施形態に係るデッキプレート１は、建築物の床スラブや屋根スラブなどの構造物のコンクリートスラブを構築するため、解体を要さない打込み型枠として形鋼や型枠間に架け渡され、上面にコンクリートが打設されて使用されるコンクリートスラブ用のデッキプレートである。また、このデッキプレート１は、合成スラブ用デッキプレートとフラットデッキ用デッキプレートのいずれにも適用可能な構成となっている。
【００３２】
また、フラットデッキ用デッキプレートとして使用する場合は、エンドクローズ加工によりデッキプレート１の長手方向の端部から打設時にフレッシュコンクリートが漏れないように上下方向に潰して閉塞するのが一般的であり、本実施形態に係るデッキプレート１にも後述のエンドクローズ部が形成されている。
【００３３】
このデッキプレート１は、溶融亜鉛めっき鋼板（JIS G3302：SGCC,SGC340,SGH340）などの防錆処理が施された0.8mm〜1.6mm程度の薄鋼板から折り曲げられて、構造物の形状に応じた所定の長さの平面視で概形が長方形状に成形されたデッキプレートである。なお、デッキプレート１の長さは、構築するコンクリートスラブの長さ、及び鋼板の厚さや用途（合成スラブ用デッキプレートとして使用するか、又はフラットデッキ用デッキプレートとして使用するか）によって相違するが、一般的には、0.8m〜3.7m程度の範囲の長さとなっている。
【００３４】
本実施形態に係るデッキプレート１は、図１、図２に示すように、コンクリートスラブの下面を支持する長方形平板状のスラブ支持部２と、このスラブ支持部２の片面（図上の下面）から垂直（鉛直）に長手方向に沿って突設された補強リブ３と、スラブ支持部２の長手両側の縁に沿って形成された互いに係合し合う形状の左右一対の係合リブ４，５など、から構成されている。
【００３５】
なお、図１、図２は、デッキプレート１のリブ（補強リブ３、係合リブ４，５）が下を向いてスラブ支持部２の下方に位置する場合、即ち、デッキプレート１をフラットデッキ用デッキプレートとして使用する場合の設置方向を例示している。
【００３６】
図２に示すように、このデッキプレート１は、スラブ支持部２の中央に一条だけ補強リブ３が突設されており、スラブ支持部２は、この補強リブ３を境に第１スラブ支持部２１と、第２スラブ支持部２２に分割されている。勿論、補強リブ３は、複数条設けられていてもよく、スラブ支持部２も３以上に分割されていてもよい。
【００３７】
（スラブ支持部）
第１スラブ支持部２１と第２スラブ支持部２２は、図２に示すように、補強リブ３を境に線対称となった左右一対の平板状の部材であり、曲げ剛性を高めるため長手方向に沿って折り曲げられて凹凸が形成されている。
【００３８】
本実施形態に係るスラブ支持部２では、図１、図２に示すように、曲げ剛性を高める凹凸として、第１スラブ支持部２１と第２スラブ支持部２２のいずれにも断面台形状の凹条である台形リブ２３が二本ずつ形成されている。
【００３９】
このため、デッキプレート１上に打設されたコンクリートの強度が発現するまでの施工時の型枠としてのデッキプレート１の強度計算において、デッキプレート１の長手方向に直交する図２の鉛直断面の全断面積が有効として算定することができる。よって、結果的に、必要強度に比してデッキプレートの厚さを薄くすることができ、輸送費を含めデッキプレート１の設置費用を低減することができる。
【００４０】
勿論、スラブ支持部２に設ける凹凸として、断面台形状の凹条である台形リブ２３を例示したが、断面三角形状や多角形状の凹条でもよい。即ち、スラブ支持部２に設ける凹凸は、曲げ剛性を高めるため長手方向に沿って折り曲げられる凹凸であれば、他の形状からなる凹条、凸条の台形リブでも構わない。
【００４１】
（補強リブ）
補強リブ３は、スラブ支持部２の片面中央（第１スラブ支持部２１と第２スラブ支持部２２の間）に垂設され、２枚の平板状の鋼板が重なり合った平板部３０と、この平板部３０の先端に形成された断面三角形状の補強リブ部３１など、から構成されており、スラブ支持部２の長手方向に対する曲げ剛性を向上する機能を有している。
【００４２】
（第１係合リブ）
一対の係合リブのうち図２に示す右側の係合リブである第１係合リブ４は、スラブ支持部２の面外方向である第１スラブ支持部２１の面に対して垂直に下降する平板状の第１ウェブ部４０と、この第１ウェブ部４０の先端から図２の状態で内側下方に向け傾斜して下降する乗り越え傾斜部４１（フランジ部）と、この乗り越え傾斜部４１の先端から図２の状態で下方に傾斜する押圧傾斜部４２など、から構成されている。
【００４３】
この第１係合リブ４は、隣接する他のデッキプレート１の第２係合リブ５と係合してデッキプレート１同士を連結する機能を有している。
【００４４】
また、乗り越え傾斜部４１の傾斜高さは、後述の係合傾斜部５３と案内傾斜部５４の傾斜高さより高く、且つ、乗り越え傾斜部４１の傾斜角度は、係合傾斜部５３と案内傾斜部５４の傾斜角度と相違して図２の状態でこれらの傾斜角度より緩くなっている。このため、デッキプレート１を載置した鋼材等の上を水平方向にスライド移動させた際に、乗り越え傾斜部４１が係合傾斜部５３及び案内傾斜部５４を容易に乗り越えて第１係合リブ４と他のデッキプレートの第１係合リブとが係合し易くなっている。
【００４５】
その上、押圧傾斜部４２の傾斜は、係合傾斜部５３と同一方向に略同角度で傾斜しているので、第１係合リブ４と他のデッキプレートの第２係合リブ５とが係合した際に、デッキプレート１の自重により係合傾斜部５３及び押圧傾斜部４２の傾斜で第１係合リブ４と他のデッキプレート１の第２係合リブ５とが押圧される方向に荷重が掛かり、デッキプレート１同士をピッタリ係合させることができる。このため、コンクリート打設時のノロ漏れによりセメント成分が硬化してデッキプレートの下面に剥離困難な汚れが付着してしまうことを防止することができる。
【００４６】
図２等に示すように、第１係合リブ４の第１ウェブ部４０、乗り越え傾斜部４１、押圧傾斜部４２の各部の接合部となる角も、全て曲面加工され折り曲げられ、丸面角となっている。
【００４７】
ここで、本発明に係るデッキプレートでは、フランジ部の一部である乗り越え傾斜部４１は、傾斜しておらず水平となっていてもよい。但し、本発明に係るデッキプレートでも、フランジ部の折り返し部である押圧傾斜部４２は、第２係合リブ５の係合傾斜部５３と係合するため必要である。
【００４８】
（第２係合リブ）
一対の係合リブのうち図２に示す左側の係合リブである第２係合リブ５は、スラブ支持部２の面外方向である第２スラブ支持部２２の面に対して垂直に立ち上がる平板状の第２ウェブ部５０と、この第２ウェブ部５０の先端から図２の状態で内側（補強リブ３と近接する側、以下同じ）下方に向け傾斜して下降するウェブ傾斜部５１（ウェブ部）と、このウェブ傾斜部５１の先端から水平に連続する第２フランジ部５２と、この第２フランジ部５２の先端から図２の状態で上方に傾斜する係合傾斜部５３（フランジ部）と、この係合傾斜部５３の先端から係合傾斜部５３と逆方向に傾斜する案内傾斜部５４（フランジ部）など、から構成されている。
【００４９】
なお、第１係合リブ４と同様に、第２係合リブ５の第２ウェブ部５０、ウェブ傾斜部５１、第２フランジ部５２、係合傾斜部５３、案内傾斜部５４の各部の接合部となる角は、全て曲面加工され折り曲げられ、丸面角となっている。
【００５０】
また、本発明に係るデッキプレートでは、ウェブ部の一部であるウェブ傾斜部５１は、傾斜せず第２ウェブ部５０と同一平面上で連続していても構わないし、フランジ部の一部である案内傾斜部５４もなくてもよい。
【００５１】
また、図２（図１２も参照のこと）に示すように、第１係合リブ４の第１ウェブ部４０の外面と、その折り返し部である押圧傾斜部４２の傾斜が始まる折り返し点の外面との水平距離Ｄ１は、第２係合リブ５の第２ウェブ部５０と、その折り返し部である係合傾斜部５３の傾斜が始まる折り返しの点との水平距離Ｄ２と略等しくなっている。このため、押圧傾斜部４２や係合傾斜部５３の傾斜角度の加工精度に多少の誤差があったとしも、第２係合リブ５内に、第１係合リブ４がピッタリと嵌まり込んで係合して第１ウェブ部４０と、第２ウェブ部５０とが面接触で当接するため、コンクリート打設時のノロ漏れを確実に防止することができる。
【００５２】
＜エンドクローズ部＞
次に、図１、図３〜図８を用いて、本発明の特徴部分であるデッキプレート１のエンドクローズ部について説明する。
【００５３】
図１、図３〜図８に示すように、本実施形態に係るデッキプレート１は、エンドクローズ加工により、前述の補強リブ３、係合リブ４、及び係合リブ５長手方向の両端部が上下方向に押し潰されて閉塞されたエンドクローズ部が形成されている。
【００５４】
図３は、デッキプレート１の長手方向の一端部付近となるエンドクローズ部を示す部分拡大斜視図であり、図４は、そのエンドクローズ部を右側から水平に見た状態を示す部分拡大右側面図、図５は、そのエンドクローズ部を長手方向に沿って水平に見た正面図である。
【００５５】
図３〜図５に示すように、このエンドクローズ部は、補強リブ３、係合リブ４、及び係合リブ５の各リブが、上下方向に押し潰されてリブの高さが長手方向の端部に行くに従って徐々に低くなっていく形状移行部を経て、リブの高さが完全に押し潰されて平らになった閉塞部が形成されている。そして、この閉塞部が床スラブを支持するＨ形鋼などの形鋼上に載置されることとなる（図９〜図１１も参照）。
【００５６】
図６〜図８は、エンドクローズ加工が施されていない一般部となる無加工部から徐々に上下に潰れて低くなっていく様子を示す形状移行部及び閉塞部の端面図であり、図６が、図３、図４のＢ−Ｂ線切断端面図、図７が、Ｃ−Ｃ線切断端面図、図８が、Ｄ−Ｄ線切断端面図である。図４等に示すように、図６、図７がエンドクローズ部の形状移行部の端面を示し、図８が、エンドクローズ部の閉塞部の端面を示している。
【００５７】
本実施形態に係るデッキプレート１では、図６に示すようにＢ−Ｂ線鉛直面では、補強リブ３は、２枚の鋼板が重なり合った平板部３０が中央付近で座屈して、くの字状に折れ曲がるとともに、断面三角形状の補強リブ部３１が正三角形状の断面から偏平な２等辺三角形状に押し潰されている。
【００５８】
また、第１係合リブ４のエンドクローズ部は、図６に示すようにＢ−Ｂ線鉛直面では、平板状の第１ウェブ部４０が内側に折れ曲がっている。しかし、乗り越え傾斜部４１と、押圧傾斜部４２は、一般部である図２に示した断面形状と略同じ構成のままである。
【００５９】
そして、第２係合リブ５のエンドクローズ部は、図６に示すようにＢ−Ｂ線鉛直面では、平板状の第２ウェブ部５０が内側へ倒れるとともに、第２ウェブ部５０とウェブ傾斜部５１との角度、及びウェブ傾斜部５１と第２フランジ部５２との角度が変更され、ウェブ傾斜部５１の下端が丸くなり第２フランジ部５２が内側へ広がっている。一方、第２フランジ部５２と係合傾斜部５３との角度、係合傾斜部５３と案内傾斜部５４との角度は、殆ど変化はない。
【００６０】
よって、図６に示すようにＢ−Ｂ線鉛直面では、実線で示す第１係合リブ４と、破線で示す隣接する他のデッキプレート１の第２係合リブ５とは、係合傾斜部５３、押圧傾斜部４２等で互い係合している。
【００６１】
次に、図７に示すようにＣ−Ｃ線鉛直面では、補強リブ３のエンドクローズ部は、平板部３０の座屈が進行するとともに、補強リブ部３１の断面がさらに偏平な２等辺三角形状に押し潰されている。
【００６２】
また、第１係合リブ４のエンドクローズ部は、図７に示すようにＣ−Ｃ線鉛直面では、第１ウェブ部４０の座屈がさらに進行するとともに、乗り越え傾斜部４１と押圧傾斜部４２との相関角度が広がって、図２の一般部と比べて、乗り越え傾斜部４１及び押圧傾斜部４２の傾斜が緩くなっている。
【００６３】
そして、第２係合リブ５のエンドクローズ部は、図７に示すようにＣ−Ｃ線鉛直面では、第２ウェブ部５０が水平に近くなる程内側へ倒れるとともに、第２ウェブ部５０とウェブ傾斜部５１との角度が略１８０度となり、第２フランジ部５２がさらに内側へ広がっている。また、第２フランジ部５２と係合傾斜部５３との角度、係合傾斜部５３と案内傾斜部５４との角度も少し潰れて平たくなっている。
【００６４】
よって、図７に示すようにＣ−Ｃ線鉛直面では、係合傾斜部５３等の傾斜角度は緩くなったものの、実線で示す第１係合リブ４と、破線で示す隣接する他のデッキプレート１の第２係合リブ５とは、係合傾斜部５３と押圧傾斜部４２等で互い係合された状態を維持している。
【００６５】
図６、図７に示すように、第１係合リブ４のエンドクローズ部は、形状移行部においてスラブ支持部２の縁より外側へはみ出しておらず、一方、他方の第２係合リブ５のエンドクローズ部は、長手方向の端部においてスラブ支持部の縁より外側へはみ出している。このため、隣接するデッキプレートの係合リブ同士が形状移行部においても干渉することなく、係合状態を維持した状態である。よって、ノロ漏れ防止効果が高いだけでなく、デッキプレート全体としての強度が向上し、デッキプレートの強度を保持したまま薄くすることができる。
【００６６】
そして、図８に示すように閉塞部であるＤ−Ｄ線鉛直面では、補強リブ３、第１係合リブ４、第２係合リブ５のいずれのリブも全て上下方向に押し潰されて略平となっている。また、スラブ支持部２の台形リブ２３も全て押し潰されて平板状になっている。
【００６７】
しかし、第１係合リブ４のエンドクローズ部と隣接するデッキプレートの第２係合リブ５のエンドクローズ部は、長手方向の端部において上下に重なりあって隙間がない。このため、閉塞部においてもノロ漏れ防止効果が高い。また、第２係合リブ５の閉塞部には、段差があり、第１係合リブ４を掛け止めて、デッキプレート１同士が、横方向へずれることを閉塞部においても防止することができる。
【００６８】
＜デッキプレートの設置方法及び係合リブの係合方法＞
次に、図９〜図１６を用いて、前述の本発明の実施形態に係るデッキプレート１の設置方法と係合リブの係合方法について、建築物の床スラブを構築する際に、デッキプレート１をフラットデッキ用のデッキプレートとして使用する場合を例示して説明する。
【００６９】
図９に示すように、建築物の床スラブを構築するための打込み型枠としてデッキプレート１を、その長手方向が建築物の梁であるＨ形鋼Ｈと直交するように閉塞部を載置して、Ｈ形鋼Ｈ間にリブを下向きに水平に架け渡す。
【００７０】
そして、図９に示すように、破線で示すもう１つのデッキプレート１を、実線で示す既にＨ形鋼Ｈ上に載置したデッキプレート１と略平行となるように並べて載置する。その後、実線で示すデッキプレート１側へ図中の矢印方向に破線で示すデッキプレート１を押すか、又は引いて第２係合リブ５（図示せず）に第１係合リブ４を係合させてデッキプレート１同士を連結する。
【００７１】
このような要領で、第２係合リブ５と第１係合リブ４を係合させて複数のデッキプレート１同士を連結して図１０に示すように、必要枚数のデッキプレート１を敷き並べる。
【００７２】
図１０に示すように、床スラブを支持する床梁であるＨ形鋼Ｈのフランジ上面にエンドクローズ加工部の閉塞部を載置し、デッキプレート１を全て敷き並べた後、溶接金網などの床スラブの構造設計に応じた所定の配筋を施し、所定設計強度のコンクリートを打設して、図１１に示すように鉄筋コンクリート製の床スラブを構築する。
【００７３】
次に、図１２〜図１６を用いて、デッキプレート同士の係合方法について詳細に説明する。
【００７４】
図１２は、デッキプレート１同士の係合前の状態を長手方向と直交する鉛直断面で示す係合状態説明図である。実線で示す第２係合リブ５は、Ｈ形鋼Ｈ上に最初に載置したデッキプレート１の係合リブを示し、破線で示す第１係合リブ４は、後から載置して既設のデッキプレート１の方へ引き寄せるか、又は押圧してＨ形鋼Ｈのフランジ上を図中の矢印方向へスライド移動させる側のデッキプレート１の係合リブを示している。
【００７５】
図１３は、図１２の矢印方向へそのまま破線で示す右側のデッキプレート１をスライド移動させてデッキプレート１同士を係合させる直前状態、即ち、スライド移動させている右側のデッキプレート１の第１係合リブ４が左側のデッキプレート１の第２係合リブ５と当接した状態を示す係合状態説明図である。
【００７６】
図１３に示すように、右側のデッキプレート１を左側へスライド移動させていくと、左側の第２係合リブ５の係合傾斜部５３と案内傾斜部５４の丸面角が、右側のデッキプレート１の乗り越え傾斜部４１の斜面の途中に当接する。
【００７７】
図１４は、図１３の矢印方向へそのまま破線で示す右側のデッキプレート１をスライド移動させてデッキプレート同士の係合を開始した直後、即ち、右側の第１係合リブ４の乗り越え傾斜部４１が、左側の第２係合リブ５の係合傾斜部５３と案内傾斜部５４の丸面角に乗り上げた状態を示す係合状態説明図である。
【００７８】
図１４に示すように、右側のデッキプレート１の左側へのスライド移動を継続すると、右側の第１係合リブ４の乗り越え傾斜部４１が、左側の第２係合リブ５の係合傾斜部５３と案内傾斜部５４の丸面角に案内されて、乗り越え傾斜部４１の傾斜に沿って乗り上げ上昇して行き、右側のデッキプレート１の片側が持ち上がることとなる。
【００７９】
このとき、本実施形態に係る係合傾斜部５３と案内傾斜部５４の角が丸面（曲面）となっているので、乗り越え傾斜部４１が、丸面角への乗り上げの摺動がスムーズとなっている。但し、乗り越え傾斜部４１の乗り上げは、案内傾斜部５４が無く、係合傾斜部５３の端面と乗り越え傾斜部４１の斜面とが摺接する場合であっても可能であるため案内傾斜部５４はなくてもよい。
【００８０】
図１５は、図１４の矢印方向へそのまま破線で示す右側のデッキプレート１をスライド移動させてデッキプレート同士の係合終了前、即ち、左側の第２係合リブ５の係合傾斜部５３と案内傾斜部５４の丸面角を、右側の第１係合リブ４の乗り越え傾斜部４１が乗り越えた直後の状態を示す係合状態説明図である。
【００８１】
図１５に示すように、右側のデッキプレート１の左側へのスライド移動を継続すると、持ち上がった右側の第１係合リブ４の乗り越え傾斜部４１が、左側の第２係合リブ５の係合傾斜部５３と案内傾斜部５４の丸面角を乗り越え、次に、第１係合リブ４の押圧傾斜部４２が、スライド移動に伴って、左側の第２係合リブ５の係合傾斜部５３の斜面に沿って、滑りながら下降していくこととなる。
【００８２】
このとき、押圧傾斜部４２の斜面の傾斜角度と、係合傾斜部５３の斜面の傾斜角度が、略同じ角度となっているため、スライド移動させている右側のデッキプレート１の移動の慣性力に加え、持ち上がった右側のデッキプレート１の自重により押圧傾斜部４２と係合傾斜部５３の斜面に案内されて左側へ移動しようとする力が働く。
【００８３】
図１６は、破線で示す右側のデッキプレート１の左側へのスライド移動が完了した状態、即ち、デッキプレート同士の係合終了後の状態を示す係合状態説明図である。
【００８４】
図１６に示すように、係合傾斜部５３の斜面による右側のデッキプレート１の自重の左側への分力と、これと反対方向に働く左側の静止しているデッキプレート１の止まろうとする慣性力とで、係合させるデッキプレート１同士が互いに押圧される結果となる。また、前述のように、Ｄ１≒Ｄ２となっている（図２、図１２等参照）。このため、デッキプレート１同士をピッタリ係合させることができ、コンクリート打設時のノロ漏れを確実に防止することができる。
【００８５】
以上のように、本発明の実施形態に係るデッキプレート１によれば、フラットデッキ用デッキプレートとして使用しても溶接やカシメなどの固定作業を行わずにデッキプレート同士の連結が容易且つ確実に行うことができる。
【００８６】
また、以上のように、デッキプレート同士の係合方法を図示して説明したが、図示した方向とは逆方向、即ち、第２係合リブを第１係合リブへスライド移動させて係合しても構わない。その場合でも前記作用効果を奏することは明らかである。
【００８７】
なお、以上のように、本発明の実施形態に係るデッキプレート１として、横方向にスライド移動させるだけで係合できるものを例示して説明したが、デッキプレート同士を係合させる際に、一方のデッキプレートを持ち上げて係合させる手間を掛ければ、前述のように、ウェブ傾斜部５１、案内傾斜部５４、乗り越え傾斜部５１などの構成は、図示形態等に限られず、他の構成でも構わない。要するに、本発明に係るデッキプレートとしては、一対の係合リブに同一方向に開いたフランジ部をそれぞれ設けて、そのフランジ部に折り返し部を形成すればよい。
【００８８】
＜実施形態に係るデッキプレートの作用効果＞
以上説明した本発明の実施形態に係るデッキプレート１によれば、係合リブのエンドクローズ部を切り欠かなくてもデッキプレート同士の係合が可能となり、エンドクローズ部の事前の切り欠きが不要となる。このため、製造ラインの流れを遅くする工程上のクリティカルポイントであったプレノッチ加工が無くなり、デッキプレートの製造効率が向上する。よって、デッキプレートの製造コストを低減することができる。
【００８９】
また、デッキプレート１によれば、係合リブのエンドクローズ部の断面欠損が無くなるため、荷重が直接作用するエンドクローズ部の断面性能が向上し、曲げ強度が上がって安全性が増す。このため、デッキプレートの強度を保持したまま薄くすることができ、さらにデッキプレートの製造コストを低減することができる。
【００９０】
さらに、デッキプレート１によれば、係合リブのエンドクローズ部の事前の切り欠きが不要となるため、コンクリート打設時のノロ漏れを確実に防止することができる。このため、ノロ漏れによりセメント成分が硬化してデッキプレートの下面に剥離困難な汚れが付着してしまうおそれもない。
【００９１】
その上、デッキプレート１によれば、係合する係合リブ同士が形状移行部においても係合しているので、ノロ漏れ防止効果が高いだけでなく、デッキプレート全体としての強度が向上し、デッキプレートの強度を保持したまま薄くすることができる。このため、さらにデッキプレートの製造コストを低減することができる。
【００９２】
＜デッキプレートのエンドクローズ加工方法＞
次に、図１７、図１８を用いて、前述のデッキプレート１のエンドクローズ加工方法について説明する。
【００９３】
本発明の実施形態に係るデッキプレートのエンドクローズ加工方法では、図１７、図１８に示すように、リブの外側に変形を抑えるブロック状の治具Ｊ１〜Ｊ４を設置したうえ、各リブを上下に押し潰してエンドクローズ部を形成する。例えば、デッキプレート１のエンドクローズ部の長手方向に関しては、図１７に示すように、形状移行部の直前の無加工部にブロック状の治具Ｊ１を設置し、閉塞部をプレス機で押圧する。
【００９４】
また、デッキプレート１の各リブについては、図１８に示すように、第１係合リブ４及び第２係合リブ５の両側にも変形を抑えるブロック状の治具Ｊ１，Ｊ２、Ｊ３，Ｊ４をそれぞれ設置したうえ、各係合リブをそれぞれ上下に押し潰してエンドクローズ部を形成する。
【００９５】
但し、前述のように、第１係合リブ４の第１ウェブ部４０が、エンドクローズ加工の際に外側に倒れると、エンドクローズ部の形状移行部において、隣接するデッキプレート１の第２係合リブ５と干渉してデッキプレート１同士が係合できなくなる。よって、第１係合リブ４の第１ウェブ部４０の外側、即ち、ブロック状の治具Ｊ４が、本発明に係るデッキプレートのエンドクローズ加工方法では、必須となる。
【００９６】
本実施形態に係るデッキプレートのエンドクローズ加工方法によれば、係合リブを事前に切り欠くプレノッチ加工が不要となり、製造ラインの流れを遅くする工程上のクリティカルポイントが無くなり、デッキプレートの製造効率が向上する。よって、デッキプレートの製造コストを低減することができる。
【００９７】
その上、本実施形態に係るデッキプレートのエンドクローズ加工方法によれば、係合リブのエンドクローズ加工が精度よくでき、係合力を高めてデッキプレート全体としての強度をさらに向上させることができる。
【００９８】
以上、本発明の実施形態に係るデッキプレートについて詳細に説明したが、前述した又は図示した実施形態は、いずれも本発明を実施するにあたって具体化した一実施形態を示したものに過ぎず、これらによって本発明の技術的範囲が限定的に解釈されてはならないものである。特に、デッキプレートをＨ形鋼などの形鋼間に架け渡す場合を例示して説明したが、デッキプレートを基礎等の木製型枠などの型枠間に架け渡してもよいことは云うまでもない。
【符号の説明】
【００９９】
１                                        ：デッキプレート
２                                        ：スラブ支持部
２１                                      ：第１スラブ支持部
２２                                      ：第２スラブ支持部
２３                                      ：台形リブ
３                                        ：補強リブ
３０                                      ：平板部
３１                                      ：補強リブ部
４                                        ：第１係合リブ
４０                                      ：第１ウェブ部
４１                                      ：乗り越え傾斜部
４２                                      ：押圧傾斜部（折り返し部）
５                                        ：第２係合リブ
５０                                      ：第２ウェブ部
５１                                      ：ウェブ傾斜部
５２                                      ：第２フランジ部
５３                                      ：係合傾斜部（折り返し部）
５４                                      ：案内傾斜部
Ｃ                                        ：コンクリート
Ｈ                                        ：Ｈ形鋼（形鋼）
【図１】
0006546545.tif 000002
【図２】
0006546545.tif 000003
【図３】
0006546545.tif 000004
【図４】
0006546545.tif 000005
【図５】
0006546545.tif 000006
【図６】
0006546545.tif 000007
【図７】
0006546545.tif 000008
【図８】
0006546545.tif 000009
【図９】
0006546545.tif 000010
【図１０】
0006546545.tif 000011
【図１１】
0006546545.tif 000012
【図１２】
0006546545.tif 000013
【図１３】
0006546545.tif 000014
【図１４】
0006546545.tif 000015
【図１５】
0006546545.tif 000016
【図１６】
0006546545.tif 000017
【図１７】
0006546545.tif 000018
【図１８】
0006546545.tif 000019